(57)【要約】【課題】  簡単な構成でありながら、ガラス扉の隙間から不正器具を不正侵入させようとするような違法行為を有効に排除できる遊技機を提供する。【解決手段】  ガラス扉６と、ガラス扉６によって閉鎖される前枠３とを有する遊技機であって、ガラス扉６と前枠３の一方又は双方に、受圧レベルに応じたセンサ信号を出力する感圧部材を取り付ける。本発明によれば、センサ信号が変化したことによって、ガラス扉が開閉されたこと、又は開閉されようとしていることを検出できる。【選択図】      図５
2008067761.tif 000002
【特許請求の範囲】
【請求項１】
開閉扉と、前記開閉扉によって閉鎖される本体部とを有する遊技機であって、前記開閉扉と前記本体部の一方又は双方に、受圧レベルに応じたセンサ信号を出力する感圧部材を取り付けたことを特徴とする遊技機。
【請求項２】
前記開閉扉が開閉される瞬間に、前記センサ信号に基づくパルス状の出力信号が出力されるよう構成されている請求項１に記載の遊技機。
【請求項３】
前記開閉扉が完全に開放されると、そのことを示す開放信号が前記センサ信号に基づいて出力されるよう構成されている請求項１に記載の遊技機。
【請求項４】
前記感圧部材は、前記開閉扉の閉鎖状態において加圧状態であり、前記開閉扉が開放方向に押圧されると、前記センサ信号が非加圧レベルに向けて変化するよう構成されている請求項１〜３の何れかに記載の遊技機。
【請求項５】
前記感圧部材は、前記開閉扉の閉鎖状態において非加圧状態であり、前記開閉扉が開放方向に押圧されると、前記センサ信号が加圧レベルに向けて変化するよう構成されている請求項１〜３の何れかに記載の遊技機。
【請求項６】
前記開閉扉が施錠されていることを示す施錠信号を生成する回路を設け、前記施錠信号の存在下で前記センサ信号が変化する場合には、異常事態であると判定する請求項１〜５の何れかに記載の遊技機。
【請求項７】
前記開閉扉が開放されたことを示す開放信号を生成する回路を設け、前記センサ信号の変化タイミングの後に前記開放信号のレベルが変化する場合には、異常事態でないと判定する請求項１〜５の何れかに記載の遊技機。
【請求項８】
前記感圧部材は、前記開閉扉の開閉時にだけ加圧されるよう、前記本体部又は開閉扉に配置される請求項１〜７の何れかに記載の遊技機。
【請求項９】
前記開閉扉と前記本体部の間の隙間は、非加圧状態の前記感圧部材によって埋められている請求項１に記載の遊技機。
【発明の詳細な説明】
【技術分野】
【０００１】
本発明は、コンピュータ回路を備えて構成される遊技機に関し、特に、不正遊技を有効に排除できる構造を有する遊技機に関する。
【背景技術】
【０００２】
パチンコ機などの弾球遊技機は、遊技盤に設けた図柄始動口と、複数個の表示図柄を所定時間変動させた後に停止させるといった一連の図柄変動態様を表示する図柄表示部と、開閉板が開閉される大入賞口などを備えて構成されている。そして、図柄始動口に設けられた検出スイッチが遊技球の通過を検出すると、遊技球の入賞状態となり、遊技球が賞球として払出された後、図柄表示部では表示図柄を所定時間変動させる。その後、７−７−７などの所定の態様で図柄が停止すると大当り状態となり、大入賞口が繰返し開放されて遊技者に有利な利益状態を発生させるようにしている。
【０００３】
大当り状態に突入するか否かは、例えば、図柄始動口を遊技球が通過した入賞時における乱数値に基づいて決定される。すなわち、遊技者の遊技動作に関連して所定の入賞状態が発生すると、これに起因する乱数値を用いた当否抽選によって遊技者に有利な利益状態を発生させるか否かを決定している。
【０００４】
そのため、不正遊技者が、枠体と扉体との間に隙間を作り、そこからピアノ線やセルロイド板などの異物を進入させ、大入賞口や、図柄始動口やその他の入賞口に大量の遊技球を違法に入賞させようとする違法行為が懸念される。それは、大量の遊技球を違法入賞させることにより、大量の賞球が得られるだけでなく、図柄始動口に入賞させた場合には大当り状態の招来が確率的に近づくためである。
【０００５】
また、スロットマシンなどの回胴遊技機においては、遊技機本体内部に遊技状態に応じて遊技者に払い出すべき遊技メダルが大量にストックされている。そのため、不正遊技者が、枠体と扉体との間に隙間を作り、そこからピアノ線やセルロイド板などの異物を進入させ、入賞によらず遊技機本体内部にストックされている大量の遊技メダルを不正に得ようとする違法行為も懸念される。
【０００６】
そこで、かかる違法行為を排除するため、各種の工夫が提案されている（例えば、特許文献１）。特許文献１に記載の発明では、光、電波、超音波などの信号を送信する送信部と、送信部からの送信信号を受信する受信部とを有する検出部を使用している。そして、この検出部は、遊技機の筐体の扉の開閉に係る隙間部分に設けられている。この特許文献１の発明によれば、遊技機の筐体内部に異物が侵入したことを検出し、警報を発したり、遊技機の動作を停止したりすることができる、と説明されている。
【特許文献１】特開２００５−１５２１０７公報
【発明の開示】
【発明が解決しようとする課題】
【０００７】
しかしながら、上記の遊技機では、送信部と受信部とを必要とするので、全体としての構成が簡単ではなく、稀にしか生じない違法行為のための対策としては現実的でない。なお、特許文献１には、圧力スイッチの使用にも言及しているが、言及された圧力スイッチは、スタートスイッチ、ストップスイッチ、ベットスイッチなどに設けられて圧力を検出するに過ぎず、本発明の課題を解決できるものではない。
【０００８】
本発明は、上記の問題点に鑑みてなされたものであって、簡単な構成でありながら、例えば、ガラス扉の隙間から不正器具を不正侵入させようとするような違法行為を有効に排除できる遊技機を提供することを目的とする。
【課題を解決するための手段】
【０００９】
上記の目的を達成するため、本発明に係る遊技機は、開閉扉と、前記開閉扉によって閉鎖される本体部とを有する遊技機であって、前記開閉扉と前記本体部の一方又は双方に、受圧レベルに応じたセンサ信号を出力する感圧部材を取り付けたことを特徴とする。本発明によれば、極めて簡単な構成でありながら、センサ信号が変化したことによって、開閉扉が開閉されたこと、又は開閉されようとしていることを把握することができる。
【００１０】
本発明は、好ましくは、開閉扉が開閉される瞬間に、前記センサ信号に基づくパルス状の出力信号が出力されるよう構成されている。このような構成を採ると、例えば、センサ信号のパルス幅によって異常事態の発生を把握することができる。すなわち、図５（ｃ）や図８（ｃ）に示すように、正常な扉開閉動作であれば、センサ信号のパルス幅や、センサ信号を処理した出力信号のパルス幅が、例えば１秒以内であるので、これを超えるパルス幅が検出された場合には異常事態であると判定することができる。
【００１１】
また、本発明は、開閉扉が完全に開放されると、そのことを示す開放信号がセンサ信号に基づいて出力されるよう構成するのが好ましい。このような構成を採れば、前記したパルス状の出力信号が、開閉扉の実際の開閉に基づくものか、或いは、開閉扉の開閉を伴わない異常なものであるかを直ちに判定することができる。また、この開放信号と共に、遊技媒体の払出状態を示す払出信号（実施例では賞球信号）を出力可能に構成すれば、例えば、開閉扉が完全に開放された後に、遊技機が異常に払出し動作を開始したような異常事態を直ちに検出することができる。
【００１２】
なお、感圧部材は、典型的には、加圧状態に応じて抵抗値が変化するよう構成された圧力センサである。何れにしても、感圧部材は、開閉扉の閉鎖状態において加圧状態であり、開閉扉が開放方向に押圧されると、センサ信号が非加圧レベルに向けて変化するよう構成されるか、或いは、逆に、開閉扉の閉鎖状態において非加圧状態であり、開閉扉が開放方向に押圧されると、センサ信号が加圧レベルに向けて変化するよう構成されているのが好ましい。
【００１３】
また、開閉扉が施錠されていることを示す施錠信号を生成する回路を設けるのも好ましく、この場合には、施錠信号の存在下で前記センサ信号が変化する場合には、異常事態であると判定することができる。同様に、開閉扉が開放されたことを示す開放信号を生成する回路を設けるのも好ましく、この場合には、センサ信号の変化タイミングの後に前記開放信号のレベルが変化する場合には、異常事態でないと判定することができる。
【００１４】
なお、感圧部材は、開閉扉の開閉時にだけ加圧されるよう、前記本体部又は開閉扉に配置されること、或いは、開閉扉と前記本体部の間の隙間は、非加圧状態の前記感圧部材によって埋められているのも好ましい。
【発明の効果】
【００１５】
上記した本発明によれば、極めて簡単な構成でありながら、違法遊技を有効に排除することができる。
【発明を実施するための最良の形態】
【００１６】
以下、実施例に係る弾球遊技機に基づいて本発明を詳細に説明する。図１は、本実施例のパチンコ機を示す正面図である。図示のパチンコ機は、島構造体に着脱可能に装着される矩形枠状の木製外枠１と、外枠１に固着された第１ヒンジ２Ａを介して開閉可能に枢着される前枠３とで構成されている。この前枠３には、遊技盤５が裏側から着脱自在に装着され、その前側には、ガラス扉（開閉扉）６と前面板７とが夫々開閉自在に枢着されている。
【００１７】
図２に示すように、ガラス扉６は、第２ヒンジ２Ｂを介して開閉可能に構成されている。そして、前枠３における、ガラス扉６の戸先側６Ａが当接される位置には、圧力センサＳＮｐが設けられている。圧力センサＳＮｐは、ガラス扉６からの押圧力を感知可能なものであれば特に限定されないが、ここでは、平板状の感圧導電性エラストマＢＤの表裏面に、導体薄板Ｄ１，Ｄ２を積層した圧力スイッチを使用している（図２（ｂ））。
【００１８】
感圧導電性エラストマＢＤは、例えば、非絶縁性の弾性体に導体微粒子を均一に分散させて構成される。そして、ガラス扉６が閉じられた押圧状態では、感圧導電性エラストマＢＤが収縮して、導体薄板Ｄ１−Ｄ２間の抵抗値が、例えば１０Ω以下の導通抵抗となるが、ガラス扉６が開放された非押圧状態では、例えば、１０ＭΩ程度の大抵抗となるよう設定されている。
【００１９】
図１に示すように、前面板７には発射用の遊技球を貯留する上皿８が装着され、前枠４の下部には、上皿８から溢れ出し又は抜き取った遊技球を貯留する下皿９と、発射ハンドル１０とが設けられている。発射ハンドル１０は発射モータと連動しており、発射ハンドル１０の回動角度に応じて動作する打撃槌によって遊技球が発射される。
【００２０】
上皿８の外周面には、チャンスボタン１１が設けられている。このチャンスボタン１１は、遊技者の左手で操作できる位置に設けられており、遊技者は、発射ハンドル１０から右手を離すことなくチャンスボタン１１を操作できる。このチャンスボタン１１は、通常時には機能していないが、ゲーム状態がボタンチャンス状態となると内蔵ランプが点灯されて操作可能となる。なお、ボタンチャンス状態は、必要に応じて設けられるゲーム状態である。
【００２１】
上皿８の右部には、カード式球貸し機に対する球貸し操作用の操作パネル１２が設けられ、カード残額を３桁の数字で表示する度数表示部と、所定金額分の遊技球の球貸しを指示する球貸しスイッチと、ゲーム終了時にカードの返却を指令する返却スイッチとが設けられている。
【００２２】
上皿８の更に右部には、遊技機を開放するための鍵穴ＨＯが設けられている。そして、鍵穴ＨＯに開錠キーを挿入して時計方向に少し回転すると、ガラス扉６が前枠３から開放されるよう構成されている（図２）。また、鍵穴ＨＯに挿入した開錠キーを大きく回転すると、前枠３が外枠１から開放されるようになっている。この前枠３の開放状態では、遊技盤５や各制御基板２０〜２６が前枠３と一体的に開放される。この実施例では、ガラス扉６の施錠を解除した第一開錠状態、及び、前枠３の施錠を解除した第二開錠状態では、各開錠状態を示すスイッチ信号が各々出力されるよう構成されている。
【００２３】
図３に示すように、遊技盤５には、金属製の外レールと内レールとからなるガイドレール１３が環状に設けられ、その内側の遊技領域５ａの略中央には、液晶カラーディスプレイＤＩＳＰが配置されている。また、遊技領域５ａの適所には、図柄始動口１５、大入賞口１６、複数個の普通入賞口１７（大入賞口１６の左右に４つ）、２つの通過口であるゲート１８が配設されている。これらの入賞口１５〜１８は、それぞれ内部に検出スイッチを有しており、遊技球の通過を検出できるようになっている。
【００２４】
液晶ディスプレイＤＩＳＰは、大当り状態に係わる特定図柄を変動表示すると共に背景画像や各種のキャラクタなどをアニメーション的に表示する装置である。この液晶ディスプレイＤＩＳＰは、中央部に特別図柄表示部Ｄａ〜Ｄｃと右上部に普通図柄表示部１９を有している。そして、特別図柄表示部Ｄａ〜Ｄｃでは、大当り状態の招来を期待させるリーチ演出が実行され、特別図柄表示部Ｄａ〜Ｄｃ及びその周りでは、当否結果を不確定に報知する予告演出などが実行される。
【００２５】
普通図柄表示部１９は普通図柄を表示するものであり、ゲート１８を通過した遊技球が検出されると、表示される普通図柄が所定時間だけ変動し、遊技球のゲート１８の通過時点において抽出された抽選用乱数値により決定される停止図柄を表示して停止するようになっている。
【００２６】
図柄始動口１５は、左右１対の開閉爪１５ａを備えた電動式チューリップで開閉されるよう例えば構成され、普通図柄表示部１９の変動後の停止図柄が当り図柄を表示した場合には、開閉爪１５ａが所定時間だけ開放されるようになっている。図柄始動口１５に遊技球が入賞すると、特別図柄表示部Ｄａ〜Ｄｃの表示図柄が所定時間だけ変動し、図柄始動口１５への遊技球の入賞タイミングに応じた抽選結果に基づいて決定される停止図柄で停止する。なお、特別図柄表示部Ｄａ〜Ｄｃ及びその周りでは、一連の図柄演出の間に、予告演出が実行される場合がある。
【００２７】
大入賞口１６は、例えば前方に開放可能な開閉板１６ａで開閉制御されるが、特別図柄表示部Ｄａ〜Ｄｃの図柄変動後の停止図柄が「７７７」などの大当り図柄のとき、「大当り」と称する特別遊技が開始され、開閉板１６ａが開放されるようになっている。大入賞口１６の内部に入賞領域１６ｂが設けられている。
【００２８】
大入賞口１６の開閉板１６ａが開放された後、所定時間が経過し、又は所定数（例えば１０個）の遊技球が入賞すると開閉板１６ａが閉じる。このような動作は、最大で例えば１５回まで特別遊技が継続され、遊技者に有利な状態に制御される。なお、特別図柄表示部Ｄａ〜Ｄｃの変動後の停止図柄が特別図柄のうちの特定図柄であった場合には、特別遊技の終了後のゲームが高確率状態となるという特典が付与される。通常、この特定図柄による大当りを「確変大当り」と言う。
【００２９】
図４は、上記した各動作を実現するパチンコ機１の全体回路構成を示すブロック図である。図中の破線は、主に、直流電圧ラインを示している。
【００３０】
図示の通り、このパチンコ機１は、ＡＣ２４Ｖを受けて各種の直流電圧を出力すると共に電源投入時にシステムリセット信号を出力する電源基板２０と、遊技動作を中心的に制御する主制御基板２１と、主制御基板２１から受けた制御コマンドＣＭＤに基づいてランプ演出及び音声演出を実行する演出制御基板２２と、演出制御基板２２から受けた信号を各部に伝送する演出インターフェイス基板２３と、演出インターフェイス基板２３から受けた制御コマンドＣＭＤ’に基づいて液晶ディスプレイＤＩＳＰを駆動する液晶制御基板２４と、主制御基板２１から受けた制御コマンドＣＭＤ”に基づいて払出モータＭを制御して遊技球を払い出す払出制御基板２５と、遊技者の操作に応答して遊技球を発射させる発射制御基板２６とを中心に構成されている。
【００３１】
ここで、主制御基板２１、演出制御基板２２、液晶制御基板２４、及び払出制御基板２５には、ワンチップマイコンを備えるコンピュータ回路がそれぞれ搭載されている。そこで、主制御基板２１、演出制御基板２２、液晶制御基板２４、及び払出制御基板２５に搭載された回路及びその回路によって実現される動作を機能的に総称して、以下の説明では、主制御部２１、演出制御部２２、液晶制御部２４、及び払出制御部２５と言うことがある。また、演出制御部２２、液晶制御部２４、及び払出制御部２５の全部又は一部がサブ制御部である。
【００３２】
図４に示す通り、主制御基板２１は、コマンド中継基板２９に接続されると共に、遊技盤中継基板２７を経由して、遊技盤５の各遊技部品に接続されている。そして、遊技盤上の各入賞口１６〜１８に内蔵された検出スイッチのスイッチ信号を受ける一方、電動チューリップなどのソレノイド類を駆動している。なお、図柄始動口１５からのスイッチ信号については、遊技盤中継基板２７を経由することなく、直接、主制御部２１が受けている。
【００３３】
先に説明した通り、払出制御部２５は、主制御部２１から受けた制御コマンドＣＭＤ”に基づいて指定された賞球を払出している。具体的には、払出モータＭ１を所定数回転させることで必要な賞球動作を実現している。そして、遊技球の払出動作を示す賞球計数信号や、払出動作の異常に係わるステイタス信号ＣＯＮを主制御部２１に送信している。なお、ステイタス信号ＣＯＮには、例えば、補給切れ信号、払出不足エラー信号、下皿満杯信号が含まれる。
【００３４】
また、払出制御部２５は、発射制御基板２６に対して、交流電圧ＡＣ２４Ｖと発射制御信号ＣＴＬを出力している。この発射制御信号ＣＴＬは、発射モータＭ２を動作させる条件となるものであり、発射制御信号ＣＴＬがＬレベルであると遊技球の発射動作が禁止される。
【００３５】
更にまた、払出制御部２５は、ホールコンピュータに対して、賞球信号とドア信号ＤＲとを出力している。ここで、ホールコンピュータとは、遊技ホールの全遊技機の一元管理をするコンピュータ機器であり、各遊技機から受けた賞球信号に基づいて、払出モータＭ１の賞球動作を管理している。
【００３６】
ドア信号ＤＲは、この実施例では２ビット長であり、ガラス扉６が開放されたことを示すドア開放信号ＤＲ１と、開錠キーを操作することなくガラス扉６を開けようとする不審行為を特定可能な異常信号ＤＲ２とで構成されている。遊技球の詰りなどを解消するために、係員が開錠キーを操作してガラス扉６を開放したことは、ドア開放信号ＤＲ１によって確認することができ、一方、不審行為は、ドア開放信号ＤＲ１を伴うことなく異常信号ＤＲ２のみが発生することで検出可能である。
【００３７】
＜第一実施例＞
図５は、不審行為の検出回路ＤＥＴの第一実施例を図示したものである。この検出回路は、払出制御部２５に設けられるが、ガラス扉６の開閉を検知する圧力センサＳＮｐの出力に基づいてドア信号ＤＲを生成している。
【００３８】
図５（ａ）に示す通り、第一実施例の検出回路ＤＥＴは、加圧状態に応じて抵抗値Ｒ１が変化する圧力センサＳＮｐと、圧力センサＳＮｐの第一電極Ｄ１に接続される電源電圧Ｖｃｃと、圧力センサＳＮｐの第二電極Ｄ２とアース間に接続される検出抵抗Ｒ２と、２つのコンパレータＣＯＭ１，ＣＯＭ２と、排他ＯＲゲートＧ１と、ＡＮＤゲートＧ２と、ドライバＧＴとで構成されている。この実施例では、ドライバＧＴは、ＮＯＴ動作をするSink Driverであり、その出力がプルアップされてドア信号ＤＲとなる。なお、ドア信号ＤＲは、ドア開放信号ＤＲ１と異常信号ＤＲ２とからなる２ビット長である。
【００３９】
図示の通り、コンパレータＣＯＭ１，ＣＯＭ２の反転端子（−）には、検出抵抗Ｒ２の両端電圧である検出信号ＳＧが供給される。電源電圧Ｖｃｃは、２つの抵抗Ｒ１，Ｒ２で分圧されるので、検出信号ＳＧは、Ｒ２／（Ｒ１＋Ｒ２）×Ｖｃｃとなり、圧力センサＳＮｐの加圧状態に対応した電圧値を示す。具体的には、加圧レベルに応じて、圧力センサＳＮｐの抵抗値Ｒ１が、大抵抗値→０に向けて変化し、これに対応して検出信号ＳＧは、≒０→≒Ｖｃｃに向けて変化する。
【００４０】
コンパレータＣＯＭ１，ＣＯＭ２の非反転端子（＋）には、基準電圧Ｅ１，Ｅ２が供給されている。図５（ｃ）に示す通り、基準電圧Ｅ１は、圧力センサＳＮｐが非圧縮状態となるガラス扉６開放時の検出信号ＳＧ≒０より僅かに高く設定されている。また、基準電圧Ｅ２は、圧力センサＳＮｐが圧縮状態となるガラス扉６閉鎖時の検出信号ＳＧ≒Ｖｃｃより僅かに低く設定されている。
【００４１】
排他ＯＲゲートＧ１とＡＮＤゲートＧ２の入力端子には、２つのコンパレータＣＯＭ１，ＣＯＭ２の出力信号Ｑ１，Ｑ２が供給されている。そのため、検出信号ＳＧの電圧レベル（ＳＧ＞Ｅ１，Ｅ２＞ＳＧ＞Ｅ１，ＳＧ＜Ｅ１）に応じて、コンパレータＣＯＭ１，ＣＯＭ２の出力Ｑ１，Ｑ２は、図５（ｂ）の審理値表に示すレベルとなる。
【００４２】
具体的に確認すると、ガラス扉６が完全開放された場合には、検出信号ＳＧがＳＧ＜Ｅ１となり、Ｑ１＝Ｑ２＝Ｈレベルより、ＡＮＤゲートＧ２の出力がＨレベルとなる。つまり、ドア開放信号ＤＲ１は、ガラス扉６が完全開放された場合にだけ、Ｌレベルに立ち下り、それ以外はＨレベルである。一方、ガラス扉６が完全に閉塞された場合には、検出信号ＳＧがＳＧ＞Ｅ２となり、Ｑ１＝Ｑ２＝Ｌレベルとなる。
【００４３】
ところで、閉塞状態のガラス扉６と前枠３との間の隙間を、無理に広げようとする違法行為も懸念されるところである。これは、無理に広げた隙間にピアノ線などを忍び込ませ、ピアノ線を引っ掛けて大入賞口１６を開けたり、或いは、図柄始動口１５への阻止釘を広げるためである。かかる場合には、違法行為者は、必要な隙間を確保するため、最初に、閉塞状態のガラス扉６を開放方向に広げようとする。
【００４４】
すると、ガラス扉６と前枠３との間の隙間が、若干広がることに対応して、圧力センサＳＮｐの圧縮状態が緩和されて、検出信号ＳＧが基準電圧Ｅ２を下回り（Ｅ２＞ＳＧ）、コンパレータＣＯＭ２の出力Ｑ２は、ＬレベルからＨレベルに変化する。但し、圧力センサＳＮｐの圧縮状態は、それなりに維持されるので（ＳＧ＞Ｅ１）、コンパレータＣＯＭ１の出力Ｑ１はＬレベルのままである（図５（ｃ）参照）。
【００４５】
このような２つのコンパレータＣＯＭ１，ＣＯＭ２の出力信号Ｑ１，Ｑ２は、排他ＯＲゲートＧ１の入力端子に供給されている。そのため、上記した違法行為の初期段階で、排他ＯＲゲートＧ１の出力がＨレベルに立ち上がり、レベル反転されてＬレベルに立下がった異常信号ＤＲ２が出力される。この異常信号ＤＲ２は、ホールコンピュータに伝送されるので、異常信号ＤＲ２が数秒にわたってＬレベルを維持することに対応して、係員が急行などして違法行為を未然に防止することができる。この場合、ホールコンピュータは、Ｌレベル異常信号ＤＲ２の継続時間や、Ｌレベル異常信号ＤＲ２の断続的な発生に基づいて、違法行為の発生を認定することになる。
【００４６】
ところで、異常信号ＤＲ２は、係員によるガラス扉６の正規開放時にも、瞬間的に立下る。しかし、この正規開放時には、異常信号ＤＲ２の立下りに続いて、ドア開放信号ＤＲ１も立下がるので、違法行為との区別が可能である。また、係員がガラス扉６を改めて閉鎖する場合にも、異常信号が瞬間的に立下る。しかし、この正規閉鎖時には、これに先行してドア開放信号がＬレベルであることから違法行為との区別が可能である。したがって、ホールコンピュータでは、異常信号の継続時間などに基づいて違法行為を検出するのではなく、上記のロジックを踏まえて、ガラス扉６の開放を伴わない違法行為を検出することもできる。なお、違法行為を個々の遊技機で検出できるよう払出制御部２５にロジック回路を追加し、警報音などを個々の遊技機で発生させるのも好適である。
【００４７】
＜変形実施例＞
図６は、開錠キーの操作を踏まえて違法行為を検出する第一実施例の変形例を示している。図２に関して説明した通り、この実施例では、ガラス扉６の施錠を解除した第一開錠状態を検出できるようになっている。具体的には、第一開錠状態は、図６に示す施錠検出回路５０によって検出され、施錠検出回路５０は、プルアップされた開錠スイッチＳＷと、ＮＯＴゲートＧ４とを中心に構成されている。ＮＯＴゲートＧ４の出力は、施錠信号として、ＡＮＤゲートＧ３の入力端子と、発光ダイオードに供給されている。
【００４８】
ガラス扉６を施錠すると、開錠スイッチＳＷがＯＮ状態になるが、一方、開錠スイッチＳＷは、第一開錠状態に向けたキー操作によってＯＦＦ状態に変化する。このように、本実施例では、施錠状態では開錠スイッチＳＷがＯＮ状態であるので、ＮＯＴゲートＧ４の出力はＨレベルとなって、発光ダイオードが点灯する。したがって、係員は、施錠状態を発光ダイオードの点灯によって、施錠状態を目視確認することができ、わざわざガラス扉６を引っ張って施錠を確認する必要は無い。
【００４９】
ところで、ＮＯＴゲートＧ４の出力は、排他ＯＲゲートＧ１の出力と共に、ＡＮＤゲートＧ３の入力端子に供給されている。ガラス扉６の施錠状態では、ＮＯＴゲートＧ４の出力は、施錠状態では常にＨレベルである。したがって、排他ＯＲゲートＧ１のＨレベル出力は、施錠状態であることを条件に、ＡＮＤゲートＧ３を通過して、ドライバＧＴに供給されることになる。一方、係員による正規のガラス開閉時は、ガラス扉６は、開錠状態であってＮＯＴゲートＧ４の出力がＬレベルであるから、排他ＯＲゲートＧ１のＨレベル出力が、ＡＮＤゲートＧ３を通過することはない。
【００５０】
以上の通り、この変形実施例によれば、ガラス扉６の開閉に伴って排他ＯＧゲートＧ１の出力がＨレベルに変化してもホールコンピュータには伝送されることがない。したがって、ホールコンピュータでは、異常信号ＤＲ２の立下がり検出すると、直ちに、違法行為が発生したと認定することができる。
【００５１】
＜第二実施例＞
図７は、第二実施例の検出回路ＤＥＴの概略構成を示している。圧力センサＳＮｐは、ガラス扉６の戸先側の先端部６０に配置され、これに対応して、前枠３には、圧力センサＳＮｐを受入れる円弧溝３０が形成されている。ここで、円弧溝３０は、ガラス扉６の閉鎖状態において、圧力センサＳＮｐを非圧縮の自由状態で受け入れている。なお、圧力センサＳＮｐは、第一実施例の場合と同様の構成であり、加圧レベルに応じて収縮して抵抗値が変化するが、加圧状態が解除されると、元の自由状態の形状に復帰し、抵抗値も元の値に戻る。
【００５２】
ガラス扉６の閉鎖状態では、圧力センサＳＮｐが非圧縮の自由状態であり、その抵抗値が大きい。一方、ガラス扉６を開けようとすると、圧力センサＳＮｐが円弧溝３０に押圧されるので、その抵抗値が押圧力に対応して減少する。このように、第二実施例では、ガラス扉６の閉鎖状態における圧力センサの動作状態が、第一実施例の場合と逆である。すなわち、第一実施例では、ガラス扉６の閉鎖状態において、圧力センサが圧縮状態であるのに対して、第二実施例では、ガラス扉６の閉鎖状態において、圧力センサが自由状態である。
【００５３】
しかし、第二実施例の場合には、ガラス扉６の閉鎖状態において、圧力センサＳＮｐがストレスを受けないので、永年使用においても、圧力センサＳＮｐの特性劣化のおそれが少ない。また、第二実施例では、圧力センサＳＮｐの非圧縮の自由状態を維持したままでは、如何にしても、ガラス扉６を開放できない利点もある。これに対して、第一実施例の場合には、違法器具を使用すれば、圧力センサＳＮｐの加圧（圧縮）状態を維持したまま、ガラス扉６を開放することも不可能ではない。
【００５４】
図８は、第二実施例の検出回路ＤＥＴの回路図である。この検出回路ＤＥＴは、加圧状態に応じて抵抗値Ｒ１が変化する圧力センサＳＮｐと、圧力センサＳＮｐの第一電極Ｄ１に接続される電源電圧Ｖｃｃと、圧力センサＳＮｐの第二電極Ｄ２とアース間に接続される検出抵抗Ｒ２と、コンパレータＣＯＭと、施錠検出回路５０と、コンパレータＣＯＭと施錠検出回路５０の出力を受けるＡＮＤゲートＧ３と、ドライバＧＴとで構成されている。
【００５５】
コンパレータＣＯＭの非反転端子（＋）には、検出抵抗Ｒ２の両端電圧である検出信号ＳＧが供給されている。検出信号ＳＧは、Ｒ２／（Ｒ１＋Ｒ２）×Ｖｃｃであり、圧力センサＳＮｐの加圧状態に対応した電圧値を示す。具体的には、加圧レベルに応じて、圧力センサＳＮｐの抵抗値Ｒ１が、大抵抗値→≒０に向けて変化し、これに対応して検出信号ＳＧは、≒０→≒Ｖｃｃに向けて変化する。なお、この点は第一実施例の場合と同じである。
【００５６】
コンパレータＣＯＭの反転端子（−）には、基準電圧Ｅｒが供給されている。図８（ｃ）に示す通り、基準電圧Ｅｒは、圧力センサＳＮｐが非圧縮状態であるガラス扉６の閉鎖時における電圧値より僅かに高く設定されている。第一実施例の場合と異なり、ガラス扉６の閉鎖時に圧力センサＳＮｐが自由状態であるから、圧力センサＳＮｐは、大抵抗値を示す。
【００５７】
このガラス扉６の閉鎖時に、開錠キーを操作することなく、ガラス扉６と前枠３の間に隙間を作ろうとすると、ガラス扉６が開放方向にやや移動することによって、圧力センサＳＮｐに圧縮力が加わる。すると、検出信号ＳＧは、Ｖｃｃに向けて増加するので、コンパレータＣＯＭの出力ＱがＬレベルからＨレベルに変化する。この時、施錠状態であることから、ＮＯＴゲートＧ４の出力はＨレベルであり、したがって、コンパレータＣＯＭの出力Ｑは、レベル判定されて異常信号ＤＲ２としてホールコンピュータに伝送される。
【００５８】
なお、図示の第二実施例では、ドア開放信号ＤＲ１を省略しているが、第一実施例の場合のように、２つのコンパレータを設けてドア開放信号ＤＲ１を生成しても良い。また、施錠検出回路５０とＡＮＤゲートＧ３を省略して、コンパレータＣＯＭの出力を、そのまま（必要に応じてドライバを介して）ホールコンピュータに伝送しても良い。なお、この場合には、異常信号の継続時間や発生頻度、或いは、ドア開放信号ＤＲ１との関係に基づいて違法行為を検出することになる。
【００５９】
＜第三実施例＞
図９は、第三実施例の検出回路ＤＥＴの概略構成を示しており、圧力センサＳＮｐが、ガラス扉６の内面側にコ字状に配置されている。第二実施例の場合と同様、第三実施例でも、ガラス扉６を閉鎖した状態で圧力センサＳＮｐが非加圧状態である。なお、違法行為の検出回路は、図８（ａ）の回路と全く同じで良い。
【００６０】
第三実施例の検出回路ＤＥＴでは、ガラス扉６に隙間を作るために、違法行為者が圧力センサＳＮｐを加圧したり、或いは、忍び込ませたピアノ線などが圧力センサＳＮｐを加圧すると、その加圧点の抵抗値Ｒがゼロに近づく。この場合、第二実施例の場合のように、圧力センサＳＮｐの全体に、ほぼ均一な圧力が加わることはなく、圧力は局所的に加わると思われる（図９（ｂ）参照）。
【００６１】
しかし、この圧力センサＳＮｐは、長板状の導体薄板Ｄ１，Ｄ２の間に、多数の抵抗体が並列接続されているのと等価であるから（図９（ｃ）参照）、全体としての抵抗値は、加圧点における抵抗値とほぼ同一となり、図８（ａ）の回路構成によって異常信号ＤＲ２を生成することができる。
【００６２】
＜変形実施例＞
なお、不正行為者に狙われやすい箇所を特定するためには、図１０のような回路構成が好ましい。この場合には、ガラス扉６の内面外周を覆う単一の圧力センサＳＮｐを使用するのではなく、複数の圧力センサＳＮｐ・・・ＳＮｐを分離して配置することで、全体としてガラス扉の内面外周を覆う。
【００６３】
図１０は、８個の圧力センサＳＮｐを使用する回路例であり、各圧力センサＳＮｐの第一電極Ｄ１には、アナログスイッチ４１の出力端子Ｙ０〜Ｙ７が接続されている。なお、アナログスイッチ４０は、詳細には、８チャンネルマルチプレクサであり、入力端子Ｘｉｎの電圧Ｖｃｃが、３ビットの制御端子Ａ〜Ｃの信号レベルに応じて、出力端子Ｙ０〜Ｙ７の何れかに出力される。
【００６４】
そして、制御端子Ａ〜Ｃには、８進カウンタ４１の３ビット出力が供給されている。また、８進カウンタ４１の３ビット出力（制御信号）は、ラッチ回路４２に供給されており、ラッチ回路４２は、ＡＮＤゲートＧ３の出力が立ち上がるのに同期して、８進カウンタ４１の３ビット出力を取得するようになっている。ラッチ回路４２の出力端子には、発光ダイオードが接続されており、その点灯状態に応じて、制御端子Ａ〜Ｃの制御信号を確認できるようになっている。
【００６５】
図１０（ｂ）に示す通り、クロックパルスΦの進行に応じて、Ｙ０〜Ｙ７端子から順番にＶｃｃレベルの電圧が出力され、これに対応して、８個の圧力センサＳＮｐの加圧状態が順番にチェックされる。ここで、出力端子Ｙ２に接続された圧力センサＳＮｐが加圧状態であったとすると、施錠状態であることを条件に、図１０（ｂ）に示すタイミングで、ＡＮＤゲートＧ３からＨレベルのパルス出力が得られる。この時、ホールコンピュータには異常信号ＤＲ２が伝送されるが、ＡＮＤゲートＧ３の出力が立ち上がるのに同期して、制御信号Ａ〜Ｃがラッチ回路４２に取得されている。したがって、違法行為の検出された遊技機に急行した係員は、発光ダイオードの点灯状態に基づいて、違法行為者に狙われた箇所を知ることができる。例えば、いつも同じ箇所が狙われるような場合には、その旨の遊技ホールからの情報に基づいて、製造メーカは、その後に製造する遊技機に適切な対応を採ることが可能となる。
【００６６】
以上、本発明の実施例を具体的に説明したが、具体的な記載内容は何ら本発明を限定するものではなく、各種の改変が可能である。例えば、実施例では、圧力センサＳＮｐをガラス扉６や前枠３に配置したが、ガラス扉６に対面する前枠３や、前枠３に対面するガラス扉６に圧力センサＳＮｐを配置しても良いのは勿論である。例えば、図７の場合には、円弧溝３０の位置に、略円柱状に形成した圧力センサＳＮｐを嵌合させる。また、図７のようにガラス扉の戸先側に圧力センサＳＮｐを配置するのではなく、第二ヒンジ２Ｂの側に、圧力センサＳＮｐを配置するのも好適である。
【００６７】
また、各実施例では、ガラス扉６と前枠３の何れか一方に圧力センサＳＮｐを配置したが、双方に圧力センサＳＮｐを配置するのも好適である。図１１は、第一実施例の変形例であり、ガラス扉６と前枠３に各々二個の圧力センサＳＮｐを設けた場合を例示している。この場合の検出回路ＤＥＴは、図５又は図６のように構成される。そして、図１０と同様に、４チャンネルマルチプレクサ４０と、４進カウンタ４１を設けることで、４つの圧力センサの加圧状態を時間順次に検査することができる。この場合には、ガラス扉６と前枠３に圧力センサＳＮｐが配置されているので、圧力センサＳＮｐの圧縮状態を維持したまま、ガラス扉６を開放することが不正行為者にとって容易でない。
【００６８】
その他、具体的に例示した回路構成や回路素子が、適宜に変更可能であるのは勿論である。また、ガラス扉が開放されたことを検出した場合の処理としては、単に、ホールコンピュータに通知するだけでなく、これに加えて、例えば(1)賞球の払出動作を直ちに禁止する、及び／又は、(2)音声、ランプ、液晶ディスプレイを利用して扉の開放状態を派手に報知する、などの措置を採るのが効果的である。このような実施態様を採る場合には、払出動作の再開は、ホール係員による解除ボタンの操作によって実行される。なお、解除ボタンは、例えば、払出制御基板に設けられる。
【図面の簡単な説明】
【００６９】
【図１】実施例に示すパチンコ機の斜視図である。
【図２】ガラス扉を開放した状態のパチンコ機を示す概略斜視図である。
【図３】図１のパチンコ機の遊技盤を詳細に図示した正面図である。
【図４】図１のパチンコ機の全体構成を示すブロック図である。
【図５】第一実施例の検出回路を説明する回路図（ａ）、審理値表（ｂ）、及びタイムチャート（ｃ）である。
【図６】第一実施例の変形例を説明する回路図（ａ）、審理値表（ｂ）、及びタイムチャート（ｃ）である。
【図７】第二実施例の検出回路の特徴部分を示す斜視図である。
【図８】第二実施例の検出回路を説明する回路図（ａ）、審理値表（ｂ）、及びタイムチャート（ｃ）である。
【図９】第三実施例の検出回路の特徴部分を示す斜視図である。
【図１０】第三実施例の変形例を説明する回路図（ａ）、及びタイムチャート（ｂ）である。
【図１１】図１１は、第一実施例の変形例を示す斜視図である。
【符号の説明】
【００７０】
６      開閉扉（ガラス扉）
３      本体部（前枠）
ＳＮｐ  圧力センサ
【図１】
2008067761.tif 000003
【図２】
2008067761.tif 000004
【図３】
2008067761.tif 000005
【図４】
2008067761.tif 000006
【図５】
2008067761.tif 000007
【図６】
2008067761.tif 000008
【図７】
2008067761.tif 000009
【図８】
2008067761.tif 000010
【図９】
2008067761.tif 000011
【図１０】
2008067761.tif 000012
【図１１】
2008067761.tif 000013